(57)【特許請求の範囲】
【請求項１】
ベース（３０）の材料を紙材として、該紙材の表面には前記紙材が外部に露出しないようにフィルム（３１）にてコーティングしたコップ状の容器本体（１）の側面に、串刺し食品を刺して食するための串（５）を前記容器本体（１）の内部に挿通させるスリット（１１）を形成し、
前記スリット（１１）を、前記容器本体（１）の周方向であって上下に２条形成すると共に、該上下のスリット（１１）（１１）の間に位置する部分を保持片（１３）とし、
前記スリット（１１）の内縁（１５）には、前記ベース（３０）の紙材が外部に露出するのを防ぐ被覆部（１８）を形成し、
前記串（５）の尖っている先端を前記容器本体（１）の内側に位置させて、串（５）の先端部を容器本体（１）の内側から上のスリット（１１）に差し込み、容器本体（１）の外側に位置している串（５）の先端部分を支点として該串（５）を外側に傾けることで前記保持片（１３）を内側に動かし、該串（５）を下方に押して下側のスリット（１１）に挿通し、前記保持片（１３）の復帰力により外方向に付勢される該保持片（１３）の外面と前記容器本体（１）の内面とで該串（５）を容器本体（１）に引き抜き自在に保持可能としていることを特徴とする串刺し用食品の容器。
【請求項２】
前記スリット（１１）の内縁（１５）に形成した被覆部（１８）は、前記フィルム（３１）のフィルム素材の樹脂を塗布して形成されていることを特徴とする請求項１に記載の串刺し用食品の容器。
【請求項３】
前記スリット（１１）の内縁（１５）に形成した被覆部（１８）は、撥水撥油剤を塗布ないし噴霧して形成されていることを特徴とする請求項１に記載の串刺し用食品の容器。
【請求項４】
前記スリット（１１）の内縁（１５）に形成した被覆部（１８）は、抗菌機能、滅菌機能、殺菌機能のいずれかの機能を備えた無色あるいは有色の食品用薬品を塗布して形成されていることを特徴とする請求項１に記載の串刺し用食品の容器。
【請求項５】
前記スリット（１１）の内縁（１５）から容器本体（１）の表面の周縁部まで被覆部（１８）を形成していることを特徴とする請求項１〜請求項４のいずれかに記載の串刺し用食品の容器。
【請求項６】
上記スリット（１１）の周方向の寸法は、挿通させる串（５）の数に応じて設定していることを特徴とする請求項１に記載の串刺し用食品の容器。
【請求項７】
前記容器本体（１）の外面に絵図（２１）を描くと共に、該絵図（２１）を貫通している串（５）の先端部分の串図（２２）を描いていることを特徴とする請求項１に記載の串刺し用食品の容器。
【請求項８】
前記スリット（１１）の両端に、該スリット（１１）の幅より大きく該スリット（１１）と連通している穴（１２）を穿孔していることを特徴とする請求項１に記載の串刺し用食品の容器。
【発明の詳細な説明】
【技術分野】
【０００１】
本発明は、鶏肉、豚肉、牛肉などの唐揚げ物、団子、田楽、ミニドーナツなどの串刺し食品をコップ状の容器に入れて、これらの串刺し食品を串にて刺して食するための串刺し用食品の容器に関するものである。
【背景技術】
【０００２】
従来より、焼き鳥、つくね、団子などの串刺し食品を容器に入れて、これらの串刺し食品を入れる容器の従来例として、例えば、下記に示す特許文献１、２が挙げられる。
【先行技術文献】
【特許文献】
【０００３】
【特許文献１】実公平３−３１７４５号公報
【特許文献２】特開２０００−３３９４８号公報
【０００４】
上記特許文献１は、コップ状の容器の底部に串の先端部を刺して串を固定するための固定部材を設け、また、容器の上部の内側に中央部に開口部を有するリング状部材を配設したものである。また、このリング状部材には上記開口部と連通する串の基部を嵌入固定するとともに、出し入れ自在とした嵌入口を設けている。
そして、串刺し食品を串に刺した状態で、前記リング状部材の開口部を介して容器内に入れ、串の先端部を前記固定部材に差し込むと共に、串の基部を前記嵌入口に保持させている。
【０００５】
また、上記特許文献２は、つくね、焼き鳥、団子等の塊状の食品を縦方向に３〜４個程度を収容することができる高さを有する筒状容器若しくは箱状容器とし、該容器内に前記塊状の食品を上から容易に収容及び取り出すことができる開口面を有する仕切り若しくは仕切り筒を係着し、複数の仕切り区分を構成している。
また、各仕切り区分内には前記塊状の食品を串に刺さないばらの状態で縦方向に３〜４個程度を収容するようにしている。また、前記塊状の食品を串刺しするための串を別途収納袋に入れ、この串を入れた収納袋を容器の本体の一部に添付しているものである。
【発明の概要】
【発明が解決しようとする課題】
【０００６】
しかしながら、上記特許文献１においては、串刺し食品を装着した状態で容器内に固定するようにしたものであり、本発明とは技術思想を異にしている。また、串を固定するのに、容器の底部に固定部材を設けると共に、串の基部を固定するためのリング状部材を設けており、そのため、容器の他に固定部材及びリング状部材の２つの部材を別途必要とするという問題がある。
【０００７】
また、前記リング状部材の形状も複雑となり、しかも、容器内に固定部材を設ける工程と、リング状部材を配設する工程とが必要となり、結果として容器の製造コストが非常に高くなるという問題を有している。
【０００８】
また、上記特許文献２では、収納袋内に串を入れておき、該収納袋を容器の外側面に係着しているために、串を使って容器内の串刺し食品を食べようとした場合、先ず、一方の手で容器を掴み、他方の手で収納袋を容器から取り外し、さらに、容器を置いて両方の手で収納袋を破いて収納袋から串を取り出して、やっと串刺し食品を食べることができる。
【０００９】
そのため、この特許文献２においては、串刺し食品を串を使って食べる場合に、串をすぐに取り出すことができず、利用者にイライラ感を与えてしまうことになる。また、収納袋から串を取り出す場合、両手で収納袋を破って串を取り出さなければならず、容器を一度どこかに置く必要があり、そのため、歩きながら串を取り出して串刺し食品を食べることが非常に困難であるという問題を有している。
更には、串を入れるための収納袋を必要とし、その分製造コストが高くなるという問題もある。
【００１０】
一方、別部材を用いずに串を容器に単に置くようにした場合や、容器に切り込み線を入れて串を該切り込み線内に入れて該串を挟み込むようにしたものとして、例えば、下記に示す特許文献３、４が挙げられる。
【００１１】
【特許文献３】特開２００３−７９５０３号公報
【特許文献４】特開２００２−１６０７２４号公報
【００１２】
上記特許文献３は、容器の本体の上縁部に複数の切り欠き部を設け、食材を食べた串を、２つの切り欠き部にわたって置くことで、串を容器に置くことができるようにしている。
【００１３】
また、上記特許文献４では、容器本体や蓋体に１本の切り込み線を設け、この切り込み線に串を押し込むことで、串を切り込み線内に挟み込むようにしたものである。
【００１４】
しかしながら、上記特許文献３においては、切り欠き部にて串を単に置くことが可能であるにすぎず、串を切り欠き部にて動かないように保持することができない。そのため、容器を持った場合などで、容器を傾けたり、逆さにした場合には、串が切り欠き部から脱落してしまうという問題を有している。
【００１５】
また、上記特許文献４においては、単なる１条の切り込み線のため、切り込み線に串を差し込んだ場合では、串の差し込み方向に関係なく一義的に決まってしまい、任意の上下方向の位置や任意に傾斜させた状態で串を保持することができないという問題を有している。
【００１６】
本発明は上述の問題点に鑑みて提供したものであって、少なくとも以下の目的を持った串刺し用食品の容器を提供するものである。
（１）串を容器に保持するのに別途の部材を用いないようにして容器の製造コストの上昇を抑えること。
（２）串を容器に保持する場合に、簡単にできるようにすること。
（３）串を容器に対して任意の上下方向の位置や任意に傾斜させた状態で串を保持することができること。
（４）串を容器から取り出す場合に、すぐに取り出すことができ、しかも、一方の手で容器を持ち、他方の手だけで串を取り出すことができること。
（５）串の先端部分は容器内に収納して衛生的に向上させること。
（６）容器の材料のベースが紙材であるために、スリットの内縁部分に紙材を露出させずに食材が紙材に直接接触しないようにして、衛生上、安心、安全性を持たせること。
（７）意匠的効果を付与して利用者に面白みを与えること。
【課題を解決するための手段】
【００１７】
請求項１に記載の串刺し用食品の容器では、ベース３０の材料を紙材として、該紙材の表面には前記紙材が外部に露出しないようにフィルム３１にてコーティングしたコップ状の容器本体１の側面に、串刺し食品を刺して食するための串（５）を前記容器本体１の内部に挿通させるスリット１１を形成し、
前記スリット１１を、前記容器本体１の周方向であって上下に２条形成すると共に、該上下のスリット１１、１１の間に位置する部分を保持片１３とし、
前記スリット１１の内縁１５には、前記ベース３０の紙材が外部に露出するのを防ぐ被覆部１８を形成し、
前記串５の尖っている先端を前記容器本体１の内側に位置させて、串５の先端部を容器本体１の内側から上のスリット１１に差し込み、容器本体１の外側に位置している串５の先端部分を支点として該串５を外側に傾けることで前記保持片１３を内側に動かし、該串５を下方に押して下側のスリット１１に挿通し、前記保持片１３の復帰力により外方向に付勢される該保持片１３の外面と前記容器本体１の内面とで該串５を容器本体１に引き抜き自在に保持可能としていることを特徴としている。
【００１８】
請求項２に記載の串刺し用食品の容器では、前記スリット１１の内縁１５に形成した被覆部１８は、前記フィルム３１のフィルム素材の樹脂を塗布して形成されていることを特徴としている。
【００１９】
請求項３に記載の串刺し用食品の容器では、前記スリット１１の内縁１５に形成した被覆部１８は、撥水撥油剤を塗布ないし噴霧して形成されていることを特徴としている。
【００２０】
請求項４に記載の串刺し用食品の容器では、前記スリット１１の内縁１５に形成した被覆部１８は、抗菌機能、滅菌機能、殺菌機能のいずれかの機能を備えた無色あるいは有色の食品用薬品を塗布して形成されていることを特徴としている。
【００２１】
請求項５に記載の串刺し用食品の容器では、前記スリット１１の内縁１５から容器本体１の表面の周縁部まで被覆部１８を形成していることを特徴としている。
【００２２】
請求項６に記載の串刺し用食品の容器では、上記スリット１１の周方向の寸法は、挿通させる串５の数に応じて設定していることを特徴としている。
【００２３】
請求項７に記載の串刺し用食品の容器では、前記容器本体１の外面に絵図２１を描くと共に、該絵図２１を貫通している串５の先端部分の串図２２を描いていることを特徴としている。
【００２４】
請求項８に記載の串刺し用食品の容器では、前記スリット１１の両端に、該スリット１１の幅より大きく該スリット１１と連通している穴１２を穿孔していることを特徴としている。
【発明の効果】
【００２５】
請求項１に記載の串刺し用食品の容器によれば、ベース３０の材料を紙材として、該紙材の表面には前記紙材が外部に露出しないようにフィルム３１にてコーティングしたコップ状の容器本体１の側面に、串刺し食品を刺して食するための串（５）を前記容器本体１の内部に挿通させるスリット１１を形成し、前記スリット１１を、前記容器本体１の周方向であって上下に２条形成すると共に、該上下のスリット１１、１１の間に位置する部分を保持片１３とし、前記スリット１１の内縁１５には、前記ベース３０の紙材が外部に露出するのを防ぐ被覆部１８を形成し、前記串５の尖っている先端を前記容器本体１の内側に位置させて、串５の先端部を容器本体１の内側から上のスリット１１に差し込み、容器本体１の外側に位置している串５の先端部分を支点として該串５を外側に傾けることで前記保持片１３を内側に動かし、該串５を下方に押して下側のスリット１１に挿通し、前記保持片１３の復帰力により外方向に付勢される該保持片１３の外面と前記容器本体１の内面とで該串５を容器本体１に引き抜き自在に保持可能としているものであり、串５の尖っている先端を容器本体１の内側に位置させて、串５の先端部を容器本体１の内側から上のスリット１１に差し込む。次に、串５の先端部が上側のスリット１１より外側に突出しているので、該先端部にて上下のスリット１１間を保持片１３とし、該串５の先端部を支点として串５を外側に傾けると、保持片１３を内側に動かすことができる。そして、串５をそのまま下方に押すと開いた下側のスリット１１を挿通させることができ、さらに串５を下方に押していき、串５の先端部が容器本体１の底板２に達した位置、あるいは底板２に達する前で串５から手を離すと串５は容器本体１に保持される。このように、串５を容器本体１に簡単に保持させることができる。
また、上下のスリット１１の間の保持片１３は元に戻ろうとする復帰力が働くことで、保持片１３の外面にて串５が外方向に付勢される。そのため、串５は容器本体１の筒状部３の内面と保持片１３の外面とで保持され、串５は容器本体１の内面にほぼ接触する形で位置することになる。
また、保持片１３の外側への付勢力により串５を下方へ串５の自重による滑り落ちを防止することができる。そのため、串５は上下方向の任意の位置で容器本体１に保持でき、また、串５を図６に示すように少し傾けてもその状態を維持させることができる。更には、串５を容器本体１に保持した状態で、容器本体１を逆さにしても串５は容器本体１から落下することもない。
このように、上下に２条のスリット１１を形成していることで、特許文献１、２とは異なり、別途の部材を必要とせず、串５を容器本体１に保持させることができ、しかも、串５を任意の角度で傾斜させた状態や、上下方向の任意の位置で保持させることができる。また、串５を保持させた容器本体１を逆さにしても串５が脱落することもない。更には、串５を保持させるのに別途の部材を必要とせず、単に２条のスリット１１を形成しているだけなので、製造コストの上昇を抑えることができる。
また、串５を容器本体１に保持させた状態では、串５の先端部が容器本体１内に位置しているので、販売者の手が串５の先端部に触れるのを防止でき、衛生的に向上させることができる。
さらに、串５が挿通されるスリット１１の内縁１５には、前記ベース３０の紙材が外部に露出するのを防ぐ被覆部１８を形成しているので、スリット１１の内縁１５に材料である紙材が露出するのを防止することができる。そのため、串５をスリット１１に挿通させても容器本体１の材料である紙に串５の表面が接触するのを防止することができる。これにより、衛生上、安心、安全性を持たせることができる。
【００２６】
請求項２に記載の串刺し用食品の容器によれば、前記スリット１１の内縁１５に形成した被覆部１８は、前記フィルム３１のフィルム素材の樹脂を塗布して形成されているので、フィルム素材の樹脂により、スリット１１の内縁１５に材料である紙材が露出するのを防止することができる。そのため、串５をスリット１１に挿通させても容器本体１の材料である紙に串５の表面が接触するのを防止することができる。これにより、衛生上、安心、安全性を持たせることができる。
【００２７】
請求項３に記載の串刺し用食品の容器によれば、前記スリット１１の内縁１５に形成した被覆部１８は、撥水撥油剤を塗布ないし噴霧して形成されていることで、撥水撥油剤により、スリット１１の内縁１５に材料である紙材が露出するのを防止することができる。そのため、串５をスリット１１に挿通させても容器本体１の材料である紙に串５の表面が接触するのを防止することができる。これにより、衛生上、安心、安全性を持たせることができる。
【００２８】
請求項４に記載の串刺し用食品の容器によれば、前記スリット１１の内縁１５に形成した被覆部１８は、抗菌機能、滅菌機能、殺菌機能のいずれかの機能を備えた無色あるいは有色の食品用薬品を塗布して形成されているので、食品用薬品により、スリット１１の内縁１５に材料である紙材が露出するのを防止することができる。そのため、串５をスリット１１に挿通させても容器本体１の材料である紙に串５の表面が接触するのを防止することができる。これにより、衛生上、安心、安全性を持たせることができる。
【００２９】
請求項５に記載の串刺し用食品の容器によれば、スリット１１の内縁１５から容器本体１の表面の周縁部まで被覆部１８を形成しているので、スリット１１の内縁１５の角部まで確実に被覆部１８を確実に形成することができ、紙材が露出するのを一層確実に防止することができる。
【００３０】
請求項６に記載の串刺し用食品の容器によれば、スリット１１の周方向の寸法は、挿通させる串５の数に応じて設定していることで、複数本の串５を容器本体１に容易に保持させることができる。
【００３１】
請求項７に記載の串刺し用食品の容器によれば、容器本体１の外面に絵図２１を描くと共に、該絵図２１を貫通している串５の先端部分の串図２２を描いていることで、一見すると串５がハート型の絵図２１を貫通してように見えて、利用者に面白みやインパクトを与えることができる。
【００３２】
請求項８に記載の串刺し用食品の容器によれば、スリット１１の両端に、該スリット１１の幅より大きく該スリット１１と連通している穴１２を穿孔しているので、穴１２の部分で保持片１３を内側に動かしても力が吸収され、スリット１１の縁部から紙材が破れるのを防止することができる。
【図面の簡単な説明】
【００３３】
【図１】本発明の実施の形態における容器本体の平面図である。
【図２】本発明の実施の形態における容器本体の正面から見た斜視図である。
【図３】本発明の実施の形態における容器本体の側面から見た斜視図である。
【図４】本発明の実施の形態における容器本体の底面図である。
【図５】本発明の実施の形態に用いる串の一例を示す図である。
【図６】本発明の実施の形態における串を容器本体に保持した状態を示す図である。
【図７】本発明の実施の形態における串を容器本体に保持した状態を示す図である。
【図８】本発明の実施の形態におけるスリット部分の拡大図である。
【図９】本発明の実施の形態における横方向の寸法を長くしたスリット部分の拡大図である。
【図１０】本発明の実施の形態における２本の串を容器本体に保持した状態を示す図である。
【図１１】本発明の実施の形態における容器本体の要部拡大断面図である。
【図１２】本発明の実施の形態における容器本体のスリット部分の要部拡大断面図である。
【図１３】本発明の実施の形態における容器本体のスリットの内縁に樹脂をコーティングした状態を示す説明図である。
【図１４】本発明の実施の形態における容器本体のスリットの周縁部まで樹脂をコーティングした状態を示す説明図である。
【図１５】本発明の実施の形態における容器本体の側面に絵図を書いた場合の斜視図である。
【図１６】本発明の実施の形態における容器本体に串を保持させた状態を示す図である。
【図１７】本発明の実施の形態における容器本体の側面に絵図を書いた場合の斜視図である。
【図１８】本発明の実施の形態における容器本体に２本の串を保持させた状態を示す図である。
【図１９】本発明の実施の形態におけるスリットの横方向の位置をずらせた場合の容器本体の斜視図である。
【図２０】本発明の実施の形態におけるスリットを周方向に形成した場合の容器本体の斜視図である。
【発明を実施するための形態】
【００３４】
以下、本発明の実施の形態を図面を参照して詳細に説明する。図１〜図４は本発明の容器本体１を示し、図１は容器本体１の平面図を、図２は容器本体１の正面から見た斜視図を、図３は容器本体１の側面から見た斜視図を、図４は容器本体１の底面図をそれぞれ示している。
【００３５】
容器本体１は、紙製のコップであり、底面は閉塞され上部は開口されていて、一般に市販されている容器である。容器本体１の大きさは特に限定されないが、片手で持ちやすい大きさである。容器本体１の形状は、図示の略円筒状のものに限らず、四角筒状や多角筒状でも良く、容器本体１の形状としては、コップとして利用可能な形状であれば良い。
この容器本体１は、ベースの材料が紙材からなり、該紙材の表面にラミネートフィルム素材にてコーティングされていて、ベースの紙材が露出するのを防止している。そして、食材が紙材に直接接触するのを防いでいる。
【００３６】
図１〜図４において、容器本体１は、円形の底板２と、筒状部３とで構成されており、筒状部３の上部の両側には上下方向に少しの間隔をあけてスリット１１が筒状部３の周方向に２条切り込みないし打ち抜いて形成されている。また、各スリット１１の両端には、該スリット１１と連通し、スリット１１よりも大きい穴１２をそれぞれ穿孔している。この穴１２を筒状部３が破れるのを防止する破れ防止部としている。
【００３７】
図５は串５を示しており、材料としては、竹串、木串であり、串５の長さは容器本体１の縦方向の寸法より大きいものを用いるようにしている。図６は容器本体１に串５を保持した状態を示している。
【００３８】
串５を容器本体１に保持させる手法は以下の通りである。すなわち、串５の尖っている先端を容器本体１の内側に位置させて、串５の先端部を容器本体１の内側から上のスリット１１に差し込む。ここで、上下のスリット１１の間に位置する部分を保持片１３とする。
【００３９】
次に、串５の先端部が上側のスリット１１より外側に突出しているので、該串５の先端部分を支点として串５を外側に傾けると、保持片１３を内側に動かすことができる。そして、串５をそのまま下方に押すと開いた下側のスリット１１に挿通させることができ、さらに串５を下方に押していき、串５の先端部が容器本体１の底板２に達した位置、あるいは底板２に達する前で串５から手を離すと串５は容器本体１に保持される。このように、串５を容器本体１に簡単に保持させることができる。
【００４０】
図６及び図７は串５を容器本体１に保持した状態を示し、上下のスリット１１の間の保持片１３は元に戻ろうとする復帰力が働くことで、保持片１３の外面にて串５が外方向に付勢される。そのため、串５は容器本体１の筒状部３の内面と保持片１３の外面とで保持され、図７に示すように、串５は容器本体１の内面にほぼ接触する形で位置することになる。
【００４１】
また、保持片１３の外側への付勢力により串５が下方へ串５の自重による滑り落ちを防止することができる。そのため、串５は上下方向の任意の位置で容器本体１に保持でき、また、串５を図６に示すように少し傾けてもその状態を維持させることができる。更には、串５を容器本体１に保持した状態で、特許文献３、４とは異なり、容器本体１を傾けたり、逆さにしても串５は容器本体１から落下することはない。
【００４２】
このように本実施形態では、上下に２条のスリット１１を形成していることで、特許文献１、２とは異なり、別途の部材を必要とせず、串５を容器本体１に保持させることができ、しかも、串５を任意の角度で傾斜させた状態や、上下方向の任意の位置で保持させることができる。また、串５をスリット１１間にて保持させた状態で容器本体１を傾けたり、逆さにしても串５が容器本体１から脱落することもない。
更には、串５を保持させるのに別途の部材を必要とせず、単に２条のスリット１１を形成しているだけなので、製造コストの上昇を抑えることができる。また、串５を容器本体１に保持させた状態では、串５の先端部が容器本体１内に位置しているので、販売者の手が串５の先端部に触れるのを防止でき、衛生的に向上させることができる。
【００４３】
図８はスリット１１等の拡大図を示し、上述したようにスリット１１の両端には該スリット１１と連通し、スリット１１の幅よりも大きい穴１２を穿孔している。容器本体１の材料が紙製の場合で、穴１２を形成せずに、スリット１１のみとした場合は、串５の先端部で保持片１３を内側に動かした際に、スリット１１の縁部から紙材が破れる恐れがある。
しかし、スリット１１の両端に穴１２を形成していることで、穴１２の部分で保持片１３を内側に動かしても力が吸収され、スリット１１の縁部から紙材が破れるのを防止することができる。
【００４４】
なお、容器本体１内に入れる串刺し食品としては、例えば、団子、から揚げ、ミニドーナツ、おでん、田楽、酒のつまみ等であり、これらの串刺し食品を容器本体１内に入れる場合、串５は図７に示すように、容器本体１の内面に沿って保持されているので、串５が邪魔になることはない。そのため、容器本体１へ串刺し食品を入れる作業の効率化を図ることができる。また、容器本体１内に食材を入れずに串５を容器本体１に保持した状態で、容器本体１を重ね合わせることができる。
【００４５】
串５を使って容器本体１内の食品を食べる場合、一方の手で容器本体１を持ち、他方の手で串５の基部を持って上方へ引き抜くだけで、串５を簡単に容器本体１から引き抜くことができる。そして、串５の先端部を容器本体１内の食品に刺して食べるものであり、串５を使うため、指を汚すことなく食品を食べることができる。
【００４６】
また、食べている途中で串５をおきたい場合、つまり、串５を再度容器本体１に保持する場合でもスリット１１に挿通させるだけで、容易に容器本体１に串５を再度保持させることができる。
なお、容器本体１の両側にもそれぞれ串５を保持させることができ、カップルがそれぞれの串５を使い分けることもできる。
【００４７】
また、串５を容器本体１に保持した状態では、口にする串５の先端部は容器本体１内に位置していることで、販売者の手が串５の先端部に触れるのを防止でき、衛生的にも向上させることができる。
なお、容器本体１を製造する場合、筒状部３が流れるラインにおいて予めスリット１１や穴１２を例えば、トムソン加工等であけておくことで、従来の製造方法で本発明の容器本体１を容易に製造することができ、容器本体１の製造コストの上昇を抑えることができる。
【００４８】
ところで、スリット１１の横方向の寸法は、１本の串５が挿通可能な寸法であればよく、特に長さは限定されるものではない。例えば、スリット１１の横方向の寸法は、１０ｍｍ〜１５ｍｍとしている。この寸法では、串５を１本、あるいは２本は保持可能である。
【００４９】
また、図９はスリット１１の横方向の寸法を図８の場合よりも長くした場合であり、串５を２本あるいは３本保持できるようにしたものである。もちろん１本の串５も保持できることは言うまでもない。図１０は、上記と同様の手法で２本の串５を容器本体１に保持した状態を示している。
このように、保持させる串５の本数によりスリット１１の長さを適宜設定することができる。
【００５０】
なお、本実施形態では、上下一対のスリット１１を容器本体１の両側にそれぞれ形成していたが、片側のみに上下一対のスリット１１を形成するようにしても良い。
【００５１】
ところで、上記容器本体１は材料が紙材で構成されており、図１１に容器本体１の要部拡大断面図を示す。この容器本体１は、紙材からなるベース３０と、このベース３０の両面の全面にわたって貼合しているラミネートフィルム３１にて構成されている。紙材からなるベース３０の両面にラミネートフィルム３１を貼合しているのは、以下の理由からである。
【００５２】
すなわち、紙コップの材料である紙が生産される際の工程で塩素系の強力な薬品を使用しているために、紙材が外部に露出しないようにラミネートフィルムをコーティングし、このラミネートフィルムにより、コップ内に入れた飲料水や食材が紙材に直接接触して塩素系の強力な薬品が飲料水に溶けたり、食材に付着しないようにして、衛生を担保するためである。
【００５３】
そして、スリット１１を形成すべく、コップ状の容器本体１を形成する前の段階で、平板状の状態で打ち抜いてスリット１１を形成すると、図１２に示すように、該スリット１１の内縁１５（内周面）に材料であるベース３０の紙材が露出することになる。
ベース３０の紙材が露出すると、串５の先端部分がベース３０に接触したり、容器本体１内の食材がベース３０に接触する恐れが出てきて、衛生を担保することができなくなる恐れが生じる。
【００５４】
そこで、本実施形態において、容器本体１の材料を紙材とした紙コップとしているので、以下のようにしている。すなわち、図１３に示すように、スリット１１の内縁１５に、紙コップの紙の表面にコーティングするのと同等のラミネートフィルム３１のラミネートフィルム素材を溶融させた状態で塗布するようにしている。
図１３に示す内縁１５の斜線部分が軟化・溶融させた樹脂を塗布した塗布面１６であり、ラミネートフィルム３１を塗布してベース３０の材料である紙材の部分を外部に露出しないようにした被覆した被覆部１８としている。
なお、図１３では、スリット１１の横方向が上下に若干湾曲して描いているが、直線でも良いものである。
【００５５】
このように、本実施形態では容器本体１の材料が紙材であるため、串５が挿通されるスリット１１の内縁１５にラミネートフィルム素材の樹脂を塗布することで、スリット１１の内縁１５に材料である紙材が露出するのを防止することができる。そのため、串５をスリット１１に挿通させても容器本体１の材料である紙に串５の表面が接触するのを防止することができる。これにより、衛生上、安心、安全性を持たせることができる。
【００５６】
また、ラミネートフィルム素材の樹脂をコーティングする箇所をスリット１１の内縁１５だけでなく、図１４に示すように、容器本体１の表面に至るようにスリット１１の周縁部分まで樹脂をコーティングするようにしても良い。
かかる場合、スリット１１の内縁１５の角部まで確実に樹脂をコーティングすることができ、紙材が露出するのを一層確実に防止することができる。
【００５７】
また、スリット１１を形成した場合にベース３０の紙材が露出するのを防ぐ手段として、上記ラミネートフィルム素材に限られるものではない。例えば、フッ素系の撥水撥油剤を用いて、該撥水撥油剤を塗布（コーティング）したり、スプレー状にて噴霧してスリット１１の内縁１５や該内縁１５の周囲に被覆部１８を形成して、ベース３０が露出するのを防ぐことができる。
これにより、図１３及び図１４の場合と同様に串５をスリット１１に挿通させても容器本体１の材料である紙に串５の表面が接触するのを防止することができる。これにより、衛生上、安心、安全性を持たせることができる。
なお、上記撥水撥油剤としては、例えば、ダイキン工業株式会社の商品名「ユニダイン」が好適例である。
【００５８】
また、ラミネートフィルム素材の樹脂や、撥水撥油剤以外では、抗菌機能、滅菌機能、殺菌機能のいずれかの機能を備えた無色あるいは有色の食品用薬品を用いて、形成した後のスリット１１の内縁１５や内縁１５を含むその周辺に、該食品用薬品を塗布して被覆部１８を形成するようにしても良い。
これにより、上記実施形態と同様に被覆部１８にて紙材が露出するのを防止することができ、紙材に串５や食材が接触するのを防ぎ、衛生を担保することができるものである。すなわち、串５をスリット１１に挿通させても容器本体１の材料である紙に串５の表面が接触するのを防止することができる。これにより、衛生上、安心、安全性を持たせることができる。
【００５９】
次に、意匠的効果を狙った実施形態について説明する。本実施形態では、図１５に示すように、容器本体１の側面に絵図２１を描き、この絵図２１を貫通するように串の先端部分の串図２２を容器本体１の側面に描いている。図１５では、串図２２には着色していないが、実際に使用する串５の色と同色の色を着色しておく。
【００６０】
図１５に示す容器本体１に、図１６に示すように、串５を先の実施形態と同様に該串５の先端部を容器本体１内に位置するように保持し、且つ串図２２の傾きと同じ傾きで串５を傾斜させることで、一見すると串５がハート型の絵図２１を貫通してように見えて、利用者に面白みやインパクトを与えることができる。
なお、絵図２１の例としてハートを描いているが、どのような絵柄を描いても良いものである。
【００６１】
図１７及び図１８は、スリット１１の横方向の寸法を長くして２本の串５が保持できる場合の実施形態である。
【００６２】
図１９は上下のスリット１１の位置を横方向にずらせた場合であり、図２０は、容器本体１の上部に周方向に上下２条のスリット１１を複数形成した場合である。図１９及び図２０に示す場合も先の実施形態と同様の効果を奏するものである。
なお、図１９及び図２０において、図１５〜図１８に示す絵図２１や串図２２を描いていないが、絵図２１及び串図２２を描く場合も当然に含まれるものである。
【符号の説明】
【００６３】
１  容器本体
２  底板
３  筒状部
５  串
１１  スリット
１２  穴
１５  内縁
１６  塗布面
１８  被覆部
２１  絵図
２２  串図
３０  ベース
３１  ラミネートフィルム
【要約】
【課題】串を容器に対して任意の上下方向の位置や任意に傾斜させた状態で串を保持することができること。また、スリットの内縁部分に紙材を露出させずに串が紙材に直接接触しないようにして、衛生上、安心、安全性を持たせること。
【解決手段】容器本体１の上部に周方向であって上下に２条のスリット１１を形成する。串５の先端部を容器本体１の内側から上のスリット１１に挿通し、更に下のスリット１１に挿通して先端部を内側に押す。これにより、串５を両スリット１１にて容器本体１に保持させることができる。上下のスリット１１間の保持片１３の復帰力により串５が保持され、串５を任意の角度で傾斜させたり、串５を上下方向の任意の位置で保持させることができる。また、スリット１１の内縁１５にはラミネートフィルム素材を塗布して被覆部１８を形成している。この樹脂の塗布した被覆部１８により串５が紙材に直接接触するのを防止している。
【選択図】図６【図１】
0005120993.tif 000002
【図２】
0005120993.tif 000003
【図３】
0005120993.tif 000004
【図４】
0005120993.tif 000005
【図５】
0005120993.tif 000006
【図６】
0005120993.tif 000007
【図７】
0005120993.tif 000008
【図８】
0005120993.tif 000009
【図９】
0005120993.tif 000010
【図１０】
0005120993.tif 000011
【図１１】
0005120993.tif 000012
【図１２】
0005120993.tif 000013
【図１３】
0005120993.tif 000014
【図１４】
0005120993.tif 000015
【図１５】
0005120993.tif 000016
【図１６】
0005120993.tif 000017
【図１７】
0005120993.tif 000018
【図１８】
0005120993.tif 000019
【図１９】
0005120993.tif 000020
【図２０】
0005120993.tif 000021